(57)【要約】【課題】循環経路１１１のない単純な構成で、効率の良い除湿が行える除湿装置を提供するにあたり、より機器構成を容易にすることや、よりスリムにすることや、より安価にすることや、より品質を向上することを目的としている。【解決手段】ヒートポンプ（１１８）と吸放湿手段（１１９）を有し、除湿対象空気（１１６）を放熱器（１０３）、放湿部（１２１）、吸熱器（１０５）、吸湿部（１２０）の順に供給し、吸湿部（１２０）の一部に室内空気を通過させるパージ部（２１）を設けた除湿装置において、放熱器（１０３）の支持部材（２３）に吸放湿手段（１１９）と吸熱器（１０５）の支持部と除湿対象空気（１１６）の風路機能と各風路間のシール機構を兼ね備え一体成型し、同時に放熱器（１０３）と吸熱器（１０５）の梱包材機能を兼ねた構成としたもの。【選択図】図５
2006239532.tif 000002
【特許請求の範囲】
【請求項１】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、除湿対象空気（１１６）を前記放熱器（１０３）、前記放湿部（１２１）、前記吸熱器（１０５）、前記吸湿部（１２０）の順に供給する送風手段（１）とを備え、前記放熱器（１０３）を支持する支持部材（２３）に前記吸放湿手段（１１９）の支持部（１６）を一体成型で設けたことを特徴とする除湿装置。
【請求項２】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、除湿対象空気（１１６）を前記放熱器（１０３）、前記放湿部（１２１）、前記吸熱器（１０５）、前記吸湿部（１２０）の順に供給する送風手段（１）とを備え、放熱器（１０３）を支持する支持部材（２３）に吸熱器（１０５）の支持部（２６）を一体成型で設けたことを特徴とする除湿装置。
【請求項３】
放熱器（１０３）を支持する支持部材（２３）に吸熱器（１０５）の支持部（２６）を一体成型で設けたことを特徴とする請求項１記載の除湿装置。
【請求項４】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、除湿対象空気（１１６）を前記放熱器（１０３）、前記放湿部（１２１）、前記吸熱器（１０５）、前記吸湿部（１２０）の順に供給する送風手段（１）とを備え、放熱器（１０３）を支持する支持部材（２３）に除湿対象空気（１１６）の風路部（２７）を一体成型で設けたことを特徴とする除湿装置。
【請求項５】
放熱器（１０３）を支持する支持部材（２３）に除湿対象空気（１１６）の風路部（２７）を一体成型で設けたことを特徴とする請求項１、２または３記載の除湿装置。
【請求項６】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、除湿対象空気（１１６）を前記放熱器（１０３）、前記放湿部（１２１）、前記吸熱器（１０５）、前記吸湿部（１２０）の順に供給する送風手段（１）とを備え、吸湿部（１２０）の一部に室内空気を通過させるパージ部（２１）を設け、前記パージ部（２１）に流入する室内空気を導くパージ風路（２２）を、放熱器（１０３）を支持する支持部材（２３）に一体成型で設けたことを特徴とする除湿装置。
【請求項７】
吸湿部（１２０）の一部に室内空気を通過させるパージ部（２１）を設け、前記パージ部（２１）に流入する室内空気を導くパージ風路（２２）を、放熱器（１０３）を支持する支持部材（２３）に一体成型で設けたことを特徴とする請求項１、２、３、４または５記載の除湿装置。
【請求項８】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、除湿対象空気（１１６）を前記放熱器（１０３）、前記放湿部（１２１）、前記吸熱器（１０５）、前記吸湿部（１２０）の順に供給する送風手段（１）とを備え、放熱器（１０３）を支持する支持部材（２３）に吸放湿手段（１１９）の吸湿部（１２０）および放湿部（１２１）を通過する除湿対象空気（１１６）の漏れを抑制するシール部（２８Ａ）を一体成型で設けたことを特徴とする除湿装置。
【請求項９】
放熱器（１０３）を支持する支持部材（２３）に吸放湿手段（１１９）の吸湿部（１２０）および放湿部（１２１）を通過する除湿対象空気（１１６）の漏れを抑制するシール部（２８Ａ）を一体成型で設けたことを特徴とする請求項１、２、３、４、５、６または７記載の除湿装置。
【請求項１０】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、除湿対象空気（１１６）を前記放熱器（１０３）、前記放湿部（１２１）、前記吸熱器（１０５）、前記吸湿部（１２０）の順に供給する送風手段（１）とを備え、放熱器（１０３）を支持する支持部材（２３）に吸放湿手段（１１９）の吸湿部（１２０）、パージ部（２１）および放湿部（１２１）をそれぞれを通過する空気間の漏れを抑制するシール部（２８Ｂ）を一体成型で設けたことを特徴とする除湿装置。
【請求項１１】
放熱器（１０３）を支持する支持部材（２３）に吸放湿手段（１１９）の吸湿部（１２０）、パージ部（２１）および放湿部（１２１）をそれぞれを通過する空気間の漏れを抑制するシール部（２８Ｂ）を一体成型で設けたことを特徴とする請求項１、２、３、４、５、６、７、８または９記載の除湿装置。
【請求項１２】
吸放湿手段（１１９）の保持部材（２０）を設けたことを特徴とする請求項１、２、３、４、５、６、７、８、９、１０または１１記載の除湿装置。
【請求項１３】
吸放湿手段（１１９）の保持部材（２０）に除湿対象空気（１１６）の風路部（３０）を一体成型で設けたことを特徴とする請求項１２記載の除湿装置。
【請求項１４】
吸湿部（１２０）の一部に室内空気を通過させるパージ部（２１）を設け、前記パージ部（２１）を通過した空気を室内に吹出すパージ風路（３１）を、吸放湿手段（１１９）の保持部材（２０）に一体成型で設けたことを特徴とする請求項１２または１３記載の除湿装置。
【請求項１５】
吸放湿手段（１１９）の保持部材（２０）に吸放湿手段（１１９）の吸湿部（１２０）および放湿部（１２１）を通過する除湿対象空気（１１６）の漏れを抑制するシール部（３２Ａ）を一体成型で設けたことを特徴とする請求項１２、１３または１４記載の除湿装置。
【請求項１６】
吸放湿手段（１１９）の保持部材（２０）に吸放湿手段（１１９）の吸湿部（１２０）、パージ部（２１）および放湿部（１２１）をそれぞれを通過する空気間の漏れを抑制するシール部（３２Ｂ）を一体成型で設けたことを特徴とする請求項１２、１３、１４または１５記載の除湿装置。
【請求項１７】
吸放湿手段（１１９）の保持部材（２０）に補助加熱手段（２４）の保持部（３４）を一体成型で設けたことを特徴とする請求項１２、１３、１４、１５または１６記載の除湿装置。
【請求項１８】
補助加熱手段（２４）によって温度上昇する吸放湿手段（１１９）の保持部材（２０）の一部分を前記補助加熱手段（２４）の構造体（２４Ａ）にて保護することを特徴とする請求項１７記載の除湿装置。
【請求項１９】
補助加熱手段（２４）の構造体（２４Ａ）に、吸放湿手段（１１９）の吸湿部（１２０）、パージ部（２１）および放湿部（１２１）のそれぞれを通過する空気間の漏れを抑制するシール部（２４Ｃ）を一体で設けることを特徴とする請求項１７または１８記載の除湿装置。
【請求項２０】
放熱器（１０３）と吸熱器（１０５）を支持する支持部材（２３）に梱包材機能を兼ね備えたことを特徴とする請求項２、３、４、５、６、７、８、９、１０または１１記載の除湿装置。
【請求項２１】
放熱器（１０３）と吸熱器（１０５）を支持部材（２３）に組み付けた状態で、前記支持部材（２３）に積み重ねが可能な保持手段（３５）を備えたことを特徴とする請求項２０記載の除湿装置。
【請求項２２】
放熱器（１０３）と吸熱器（１０５）を支持部材（２３）に組み付け、前記支持部材（２３）を積み重ねた状態で、前記放熱器（１０３）と前記吸熱器（１０５）のどちらか一方または双方が複数の支持部材（２３）に支持されることを特徴とする請求項２０または２１記載の除湿装置。
【請求項２３】
放熱器（１０３）と吸熱器（１０５）を支持部材（２３）に組み付け、前記放熱器（１０３）と前記吸熱器（１０５）を繋ぐ冷媒配管（３８）を設けたことを特徴とする請求項２０、２１または２２記載の除湿装置。
【請求項２４】
放熱器（１０３）または吸熱器（１０５）のどちらか一方もしくは双方から圧縮機（１０２）とを繋ぐ吐出冷媒配管（３９）および吸入冷媒配管（４０）を設けたことを特徴とする請求項２０、２１、２２または２３記載の除湿装置。
【請求項２５】
吐出冷媒配管（３９）と吸入冷媒配管（４０）と冷媒配管（３８）の配管保護部（４１）を設けたことを特徴とする請求項２３または２４記載の除湿装置。
【請求項２６】
吐出冷媒配管（３９）と吸入冷媒配管（４０）と冷媒配管（３８）の配管保護部（４１）が加熱対象空気（３）、除湿対象空気（１１６）およびパージ空気（４）のいずれか１つ以上の風路を形成する機能を兼ね備えたことを特徴とする請求項２５記載の除湿装置。
【請求項２７】
放熱器（１０３）の支持部材（２３）と吸放湿手段（１１９）の保持部材（２０）の双方もしくはどちらか一方に電気配線保持部（２９，３３）を設けたことを特徴とする請求項１、２、３、４、５、６、７、８、９、１０、１１、１２、１３、１４、１５、１６、１７、１８、１９、２０、２１、２２、２３、２４、２５または２６記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放湿を行う吸放湿手段を備えた除湿装置に関する。
【背景技術】
【０００２】
従来のヒートポンプと吸放湿手段を備えた除湿装置としては、放熱器、吸放湿手段の放湿部、吸熱器の順に空気を循環させるものがある（例えば、特許文献１参照）。
【０００３】
以下、その除湿装置について図１１を参照しながら説明する。
【０００４】
図１１に示すように、除湿装置の本体１００内には、圧縮機１０２、放熱器１０３、膨張機構１０４、吸熱器１０５を配管接続した冷媒回路１０６と、吸着剤１０７が担持されたハニカムローター１０８が設けられており、循環ファン１０９によって送風される循環空気１１０が、放熱器１０３、ハニカムローター１０８の一部、吸熱器１０５の順に循環するように循環経路１１１が形成されている。また、ハニカムローター１０８の他の部分は、吸込口１１２および吹出口１１３を開口した供給経路１１４内に配置されており、供給ファン１１５によって除湿対象空気１１６が供給されている。また、冷媒回路１０６内には冷媒１１７が充填されており、この冷媒１１７が、圧縮機１０２で圧縮されることによって、放熱器１０３、膨張機構１０４、吸熱器１０５の順に冷媒回路１０６内を循環し、放熱器１０３において循環空気１１０に放熱するとともに、吸熱器１０５において循環空気１１０から吸熱することによってヒートポンプ１１８を動作させている。ハニカムローター１０８は、図示しない駆動手段によって回転しており、この回転に伴いハニカムローター１０８に担持された吸着剤１０７が、循環経路１１１内における循環空気１１０との接触と供給経路１１４内における除湿対象空気１１６との接触を繰り返している。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、循環経路１１１内で吸着剤１０７と接触する循環空気１１０は、放熱器１０３において冷媒１１７の放熱により加熱されて除湿対象空気１１６よりも低い相対湿度の空気となっているので、この相対湿度の差によって、吸着剤１０７が、除湿対象空気１１６中の水分を吸着し、吸着した水分を循環空気１１０中に脱着するように作用する。この吸脱着作用によって吸放湿手段１１９としての動作がなされることとなり、ハニカムローター１０８の供給経路１１４内に位置する部分が除湿対象空気１１６から吸湿する吸湿部１２０、ハニカムローター１０８の循環経路１１１内に位置する部分が循環空気１１０へ放湿する放湿部１２１となる。吸湿部１２０において吸湿された除湿対象空気１１６は低湿の空気となって吹出口１１３から本体１０１外部に吹出し、放湿部１２１において放湿された循環空気１１０は、高湿の空気となって吸熱器１０５に供給される。吸熱器１０５に供給された高湿の循環空気１１０は、冷媒１１７の吸熱によって露点温度以下まで冷却されて空気中の水分が飽和する。この飽和した水分が凝縮してタンク１２２に滴下し、このタンク１２２に溜まった凝縮水の量が除湿装置の除湿量となるのである。
【特許文献１】特開昭６３−１４２３号公報（第２−３頁、第１図）
【発明の開示】
【発明が解決しようとする課題】
【０００５】
以上の例では、吸湿部１２０において除湿対象空気１１６から吸湿し、この吸湿した水分を、放熱器１０３で加熱した高温の循環空気１１０を放湿部１２１に供給することによって放湿させ、この放湿させた水分を含んだ高湿の循環空気１１０を吸熱器１０５において冷却して水分を飽和させるとことにより除湿するようにしている。したがって循環空気１１０を放熱器１０３、放湿部１２１、吸熱器１０５に循環させる循環経路１１１を密閉性よく本体１０１内に形成する必要があり、装置構成が複雑化するという問題点があった。そして循環経路１１１の密閉度が低い場合には、除湿対象空気１１６と循環空気１１０との湿度移行が発生して除湿効率が低下するという問題点があった。
【０００６】
本発明は上記課題を解決するものであり、循環経路１１１のない単純な構成で、効率の良い除湿が行える除湿装置を提供することを目的としている。また、前記目的を達成するにあたり、より機器構成を容易にすることや、よりスリムにすることや、より安価にすることや、より品質を向上することができる除湿装置を提供することを目的としている。
【課題を解決するための手段】
【０００７】
上記した目的を達成するために、本発明が講じた第１の課題解決手段は、放熱器（１０３）を支持する支持部材（２３）に吸放湿手段（１１９）の支持部（１６）を一体成型で設けたものである。
【０００８】
この手段では、放熱器（１０３）を支持する支持部材（２３）に吸放湿手段（１１９）の支持部（１６）が一体で形成されるので、部品点数が減り、部品同士の勘合や接続をなくし、スリムで無駄なく構成されることとなる。
【０００９】
また、本発明が講じた第２の課題解決手段は、放熱器（１０３）を支持する支持部材（２３）に吸熱器（１０５）の支持部（２６）を一体成型で設けたものである。
【００１０】
この手段では、放熱器（１０３）を支持する支持部材（２３）に吸熱器（１０５）の支持部（２６）が一体で形成されるので、部品点数が減り、部品同士の勘合や接続をなくし、スリムで無駄なく構成されることとなる。
【００１１】
また、本発明が講じた第３の課題解決手段は、上記第１の課題解決手段において、放熱器（１０３）を支持する支持部材（２３）に吸熱器（１０５）の支持部（２６）を一体成型で設けたものである。
【００１２】
この手段では、放熱器（１０３）を支持する支持部材（２３）に吸熱器（１０５）の支持部（２６）と吸放湿手段（１１９）の支持部（１６）が一体で形成されるので、前記放熱器（１０３）と前記吸熱器（１０５）と前記吸放湿手段（１１９）の位置関係が精度良く保たれることとなる。
【００１３】
また、本発明が講じた第４の課題解決手段は、放熱器（１０３）を支持する支持部材（２３）に除湿対象空気（１１６）の風路部（２７）を一体成型で設けたものである。
【００１４】
この手段では、放熱器（１０３）を支持する支持部材（２３）に除湿対象空気（１１６）の風路部（２７）が一体で形成されるので、部品点数が減り、部品同士の勘合や接続をなくし、スリムで無駄なく構成されることとなる。
【００１５】
また、本発明が講じた第５の課題解決手段は、上記第１、第２または第３の課題解決手段において、放熱器（１０３）を支持する支持部材（２３）に除湿対象空気（１１６）の風路部（２７）を一体成型で設けたものである。
【００１６】
この手段では、放熱器（１０３）を支持する支持部材（２３）に吸熱器（１０５）の支持部（２６）と吸放湿手段（１１９）の支持部（１６）と風路部（２７）が一体で形成されるので、前記放熱器（１０３）と前記吸熱器（１０５）と前記吸放湿手段（１１９）のそれぞれを通る空気を効率よく導くこととなり、風路間の漏れの少ない安定した空気の流れを保つこととなる。
【００１７】
また、本発明が講じた第６の課題解決手段は、吸湿部（１２０）の一部に室内空気を通過させるパージ部（２１）を設け、前記パージ部（２１）に流入する室内空気を導くパージ風路（２２）を、前記放熱器（１０３）を支持する支持部材（２３）に一体成型で設けたものである。
【００１８】
この手段では、パージ部（２１）に流入する室内空気を導くパージ風路（２２）が放熱器（１０３）を支持する支持部材（２３）に一体で形成されるので、部品点数が減り、部品同士の勘合や接続をなくし、スリムで無駄なく構成されることとなる。また、前記パージ部（２１）によって、吸湿部（１２０）には放湿部（１２１）に供給される除湿対象空気（１１６）よりも多くの空気が供給される。これにより吸放湿手段（１１９）の吸湿に適する風量と、前記吸放湿手段（１１９）の放湿に適する風量とのアンバランスが解消されることになる。
【００１９】
また、本発明が講じた第７の課題解決手段は、上記第１、第２、第３または第４の課題解決手段において、吸湿部（１２０）の一部に室内空気を通過させるパージ部（２１）を設け、前記パージ部（２１）に流入する室内空気を導くパージ風路（２２）を、放熱器（１０３）を支持する支持部材（２３）に一体成型で設けたものである。
【００２０】
この手段では、放熱器（１０３）を支持する支持部材（２３）に吸熱器（１０５）の支持部（２６）と吸放湿手段（１１９）の支持部（１６）と風路部（２７）とパージ風路（２２）が一体で形成されるので、前記放熱器（１０３）と前記吸熱器（１０５）と前記吸放湿手段（１１９）とパージ部（２１）のそれぞれを通る空気を効率よく導くこととなり、風路間の漏れの少ない安定した空気の流れを保つこととなる。また、パージ部（２１）によって、吸湿部（１２０）には放湿部（１２１）に供給される除湿対象空気（１１６）よりも多くの空気が供給される。これにより吸放湿手段（１１９）の吸湿に適する風量と、吸放湿手段（１１９）の放湿に適する風量とのアンバランスが解消されることになる。
【００２１】
また、本発明が講じた第８の課題解決手段は、放熱器（１０３）を支持する支持部材（２３）に吸放湿手段（１１９）の吸湿部（１２０）および放湿部（１２１）を通過する除湿対象空気（１１６）の漏れを抑制するシール部（２８Ａ）を一体成型で設けたものである。
【００２２】
この手段では、放熱器（１０３）を支持する支持部材（２３）に吸放湿手段（１１９）の吸湿部（１２０）および放湿部（１２１）を通過する除湿対象空気（１１６）の漏れを抑制するシール部（２８Ａ）が一体で形成されるので、部品点数が減り、部品同士の勘合や接続をなくし、スリムで無駄なく漏れ防止されることとなる。
【００２３】
また、本発明が講じた第９の課題解決手段は、上記第１、第２、第３、第４、第５、第６または第７の課題解決手段において、放熱器（１０３）を支持する支持部材（２３）に吸放湿手段（１１９）の吸湿部（１２０）および放湿部（１２１）を通過する除湿対象空気（１１６）の漏れを抑制するシール部（２８Ａ）を一体成型で設けたものである。
【００２４】
この手段では、放熱器（１０３）を支持する支持部材（２３）に吸放湿手段（１１９）の吸湿部（１２０）および放湿部（１２１）を通過する除湿対象空気（１１６）の漏れを抑制するシール部（２８Ａ）が一体で形成されるので、部品点数が減り、部品同士の勘合や接続をなくし、スリムで無駄なく漏れ防止されることとなる。また、前記吸放湿手段（１１９）の支持部（１６）と一体に形成されることにより、前記シール部（２８Ａ）と前記吸放湿手段（１１９）の位置関係が精度良く管理することができるため、さらに漏れ防止性能が向上することとなる。
【００２５】
また、本発明が講じた第１０の課題解決手段は、放熱器（１０３）を支持する支持部材（２３）に吸放湿手段（１１９）の吸湿部（１２０）、パージ部（２１）および放湿部（１２１）のそれぞれを通過する空気間の漏れを抑制するシール部（２８Ｂ）を一体成型で設けたものである。
【００２６】
この手段では、放熱器（１０３）を支持する支持部材（２３）に吸放湿手段（１１９）の吸湿部（１２０）、パージ部（２１）および放湿部（１２１）のそれぞれを通過する空気間の漏れを抑制するシール部（２８Ｂ）が一体で形成されるので、部品点数が減り、部品同士の勘合や接続をなくし、スリムで無駄なく漏れ防止されることとなる。また、前記パージ部（２１）によって、前記吸湿部（１２０）には前記放湿部（１２１）に供給される前記除湿対象空気（１１６）よりも多くの空気が供給される。これにより前記吸放湿手段（１１９）の吸湿に適する風量と、前記吸放湿手段（１１９）の放湿に適する風量とのアンバランスが解消されることになる。
【００２７】
また、本発明が講じた第１１の課題解決手段は、上記第１、第２、第３、第４、第５、第６、第７、第８または第９の課題解決手段において、放熱器（１０３）を支持する支持部材（２３）に吸放湿手段（１１９）の吸湿部（１２０）、パージ部（２１）および放湿部（１２１）のそれぞれを通過する空気間の漏れを抑制するシール部（２８Ｂ）を一体成型で設けたものである。
【００２８】
この手段では、放熱器（１０３）を支持する支持部材（２３）に吸放湿手段（１１９）の吸湿部（１２０）、パージ部（２１）および放湿部（１２１）をそれぞれを通過する空気間の漏れを抑制するシール部（２８Ｂ）が一体で形成されるので、部品点数が減り、部品同士の勘合や接続をなくし、スリムで無駄なく漏れ防止されることとなる。また、前記吸放湿手段（１１９）の支持部（１６）と一体に形成されることにより、前記シール部（２８Ｂ）と前記吸放湿手段（１１９）の位置関係が精度良く管理することができるため、さらに漏れ防止性能が向上することとなる。
【００２９】
また、本発明が講じた第１２の課題解決手段は、上記第１、第２、第３、第４、第５、第６、第７、第８、第９、第１０または第１１の課題解決手段において、吸放湿手段（１１９）の保持部材（２０）を設けたものである。
【００３０】
この手段では、支持部（１６）で支持された吸放湿手段（１１９）のがたつきを保持部材（２０）が抑制することとなる。
【００３１】
また、本発明が講じた第１３の課題解決手段は、上記第１２の課題解決手段において、吸放湿手段（１１９）の保持部材（２０）に除湿対象空気（１１６）の風路部（３０）を一体成型で設けたものである。
【００３２】
この手段では、吸放湿手段（１１９）の保持部材（２０）に除湿対象空気（１１６）の風路部（３０）が一体で形成されるので、部品点数が減り、部品同士の勘合や接続をなくし、スリムで無駄なく構成されることとなる。また、前記放熱器（１０３）と前記吸熱器（１０５）と前記吸放湿手段（１１９）のそれぞれを通る空気を効率よく導くこととなり、風路間の漏れの少ない安定した空気の流れを保つこととなる。
【００３３】
また、本発明が講じた第１４の課題解決手段は、上記第１２または第１３の課題解決手段において、吸湿部（１２０）の一部に室内空気を通過させるパージ部（２１）を設け、前記パージ部（２１）を通過した空気を室内に吹出すパージ風路（３１）を、吸放湿手段（１１９）の保持部材（２０）に一体成型で設けたものである。
【００３４】
この手段では、パージ部（２１）を通過した空気を室内に吹出すパージ風路（３１）と前記吸放湿手段（１１９）の保持部材（２０）が一体で形成されるので、部品点数が減り、部品同士の勘合や接続をなくし、スリムで無駄なく構成されることとなる。また、前記吸放湿手段（１１９）の前記パージ部（２１）と前記放湿部（１２１）と前記吸湿部（１２０）それぞれを通る空気を効率よく導くこととなり、風路間の漏れの少ない安定した空気の流れを保つこととなる。
【００３５】
また、本発明が講じた第１５の課題解決手段は、上記第１２、第１３または第１４の課題解決手段において、吸放湿手段（１１９）の保持部材（２０）に吸放湿手段（１１９）の吸湿部（１２０）および放湿部（１２１）を通過する除湿対象空気（１１６）の漏れを抑制するシール部（３２Ａ）を一体成型で設けたものである。
【００３６】
この手段では、吸放湿手段（１１９）の保持部材（２０）に吸放湿手段（１１９）の吸湿部（１２０）および放湿部（１２１）を通過する除湿対象空気（１１６）の漏れを抑制するシール部（３２Ａ）が一体で形成されるので、部品点数が減り、部品同士の勘合や接続をなくし、スリムで無駄なく漏れ防止されることとなる。また、前記吸放湿手段（１１９）の前記保持部材（２０）と一体に形成されることにより、前記シール部（３２Ａ）と前記吸放湿手段（１１９）の位置関係が精度良く管理することができるため、さらに漏れ防止性能が向上することとなる。
【００３７】
また、本発明が講じた第１６の課題解決手段は、上記第１２、第１３、第１４または第１５の課題解決手段において、吸放湿手段（１１９）の保持部材（２０）に吸放湿手段（１１９）の吸湿部（１２０）、パージ部（２１）および放湿部（１２１）のそれぞれを通過する空気間の漏れを抑制するシール部（３２Ｂ）を一体成型で設けたものである。
【００３８】
この手段では、吸放湿手段（１１９）の保持部材（２０）に吸放湿手段（１１９）の吸湿部（１２０）、パージ部（２１）および放湿部（１２１）をそれぞれを通過する空気間の漏れを抑制するシール部（３２Ｂ）が一体で形成されるので、部品点数が減り、部品同士の勘合や接続をなくし、スリムで無駄なく漏れ防止されることとなる。また、前記吸放湿手段（１１９）の前記保持部材（２０）と一体に形成されることにより、前記シール部（３２Ａ）と前記吸放湿手段（１１９）の位置関係が精度良く管理することができるため、さらに漏れ防止性能が向上することとなる。
【００３９】
また、本発明が講じた第１７の課題解決手段は、上記第１２、第１３、第１４、第１５または第１６の課題解決手段において、吸放湿手段（１１９）の保持部材（２０）に補助加熱手段（２４）の保持部（３４）を一体成型で設けたものである。
【００４０】
この手段では、吸放湿手段（１１９）の保持部材（２０）に補助加熱手段（２４）の保持部（３４）が一体で形成されるので前記吸放湿手段（１１９）と前記補助加熱手段（２４）位置関係が精度良く保たれることとなる。
【００４１】
また、本発明が講じた第１８の課題解決手段は、上記第１７の課題解決手段において、補助加熱手段（２４）によって温度上昇する吸放湿手段（１１９）の保持部材（２０）の一部分を前記補助加熱手段（２４）の構造体（２４Ａ）にて保護したものである。
【００４２】
この手段では、補助加熱手段（２４）によって温度上昇する吸放湿手段（１１９）の保持部材（２０）の一部分を前記補助加熱手段（２４）の構造体（２４Ａ）にて保護し、前記補助加熱手段（２４）の熱が前記保持部材（２０）に伝わりにくくしたものである。
【００４３】
また、本発明が講じた第１９の課題解決手段は、上記第１７または第１８の課題解決手段において、補助加熱手段（２４）の構造体（２４Ａ）にて吸放湿手段（１１９）の吸湿部（１２０）、パージ部（２１）および放湿部（１２１）のそれぞれを通過する空気間の漏れを抑制するシール部（２４Ｃ）を設けたものである。
【００４４】
この手段では、補助加熱手段（２４）の構造体（２４Ａ）に設けたシール部（２４Ｃ）にて吸放湿手段（１１９）の吸湿部（１２０）、パージ部（２１）および放湿部（１２１）のそれぞれを通過する空気の漏れを抑制することとなる。
【００４５】
また、本発明が講じた第２０の課題解決手段は、上記第２、第３、第４、第５、第６、第７、第８、第９、第１０または第１１の課題解決手段において、放熱器（１０３）と吸熱器（１０５）を支持する支持部材（２３）に梱包材機能を兼ね備えたものである。
【００４６】
この手段では、放熱器（１０３）と吸熱器（１０５）が支持部材（２３）に取り付けられた状態で納入される。その際、前記支持部材（２３）は輸送時の振動や衝撃から前記放熱器（１０３）と吸熱器（１０５）を保護することとなる。
【００４７】
また、本発明が講じた第２１の課題解決手段は、上記第２０の課題解決手段において、放熱器（１０３）と吸熱器（１０５）を支持部材（２３）に組み付けた状態で、前記支持部材（２３）に積み重ねが可能な保持手段（３５）を備えたものである。
【００４８】
この手段では、放熱器（１０３）と吸熱器（１０５）を支持部材（２３）に組み付けた状態で、前記支持部材（２３）に積み重ねが可能な保持手段（３５）により、積み重ねた状態で、輸送時の振動や衝撃によってずれや外れることが生じないように保持することとなる。
【００４９】
また、本発明が講じた第２２の課題解決手段は、上記第２０または第２１の課題解決手段において、放熱器（１０３）と吸熱器（１０５）を支持部材（２３）に組み付け、前記支持部材（２３）を積み重ねた状態で、前記放熱器（１０３）と前記吸熱器（１０５）が複数の支持部材（２３）に支持されるものである。
【００５０】
この手段では、放熱器（１０３）と吸熱器（１０５）を支持部材（２３）に組み付け、前記支持部材（２３）を複数積み重ねた状態で、前記放熱器（１０３）と前記吸熱器（１０５）が組み付けられた支持部材（２３）以外に隣り合った支持部材（２３）によって支持されることとなる。
【００５１】
また、本発明が講じた第２３の課題解決手段は、上記第２０、第２１または第２２の課題解決手段において、放熱器（１０３）と吸熱器（１０５）を支持部材（２３）に組み付け、前記放熱器（１０３）と前記吸熱器（１０５）を繋ぐ冷媒配管（３８）を設けたものである。
【００５２】
この手段では、放熱器（１０３）と吸熱器（１０５）と冷媒配管（３８）が支持部材（２３）に取り付けられた状態で納入される。その際、前記支持部材（２３）は輸送時の振動や衝撃から前記放熱器（１０３）と吸熱器（１０５）と前記冷媒配管（３８）を保護することとなる。
【００５３】
また、本発明が講じた第２４の課題解決手段は、上記第２０、第２１、第２２または第２３の課題解決手段において、放熱器（１０３）または吸熱器（１０５）のどちらか一方もしくは双方から圧縮機（１０２）とを繋ぐ吐出冷媒配管（３９）および吸入冷媒配管（４０）を設けたものである。
【００５４】
この手段では、吐出冷媒配管（３９）および吸入冷媒配管（４０）の圧縮機（１０２）側端部が支持部材（２３）から一定の距離を保つこととなる。
【００５５】
また、本発明が講じた第２５の課題解決手段は、上記第２３または第２４の課題解決手段において、吐出冷媒配管（３９）と吸入冷媒配管（４０）と冷媒配管（３８）の配管保護部（４１）を設けたものである。
【００５６】
この手段では、放熱器（１０３）と吸熱器（１０５）と吐出冷媒配管（３９）と吸入冷媒配管（４０）と冷媒配管（３８）が支持部材（２３）に取り付けられた状態で納入される。その際、前記支持部材（２３）の配管保護部（４１）は輸送時の振動や衝撃によってそれぞれの配管の自重による変形から前記吐出冷媒配管（３９）と前記吸入冷媒配管（４０）と前記冷媒配管（３８）を保護することとなる。
【００５７】
また、本発明が講じた第２６の課題解決手段は、上記第２５の課題解決手段において、吐出冷媒配管（３９）と吸入冷媒配管（４０）と冷媒配管（３８）の配管保護部（４１）が加熱対象空気（３）、除湿対象空気（１１６）およびパージ空気（４）のいずれか１つ以上の風路を形成する機能を兼ね備えたものである。
【００５８】
この手段では、配管保護部（４１）が加熱対象空気（３）、除湿対象空気（１１６）およびパージ空気（４）のいずれか１つ以上の風路を形成する機能を兼ね備えているので、部品点数が減り、部品同士の勘合や接続をなくし、スリムで無駄なく構成されることとなる。
【００５９】
また、本発明が講じた第２７の課題解決手段は、上記第１、第２、第３、第４、第５、第６、第７、第８、第９、第１０、第１１、第１２、第１３、第１４、第１５、第１６、第１７、第１８、第１９、第２０、第２１、第２２、第２３、第２４、第２５または第２６の課題解決手段において、放熱器（１０３）の支持部材（２３）と吸放湿手段（１１９）の保持部材（２０）の双方もしくはどちらか一方に電気配線保持部（２９，３３）を設けたものである。
【００６０】
この手段では、放熱器（１０３）、吸熱器（１０５）、吸放湿手段（１１９）および補助加熱手段（２４）の周辺に配線される電気配線（４２）が、高温部やエッヂ部や結露部に接触することが防止されることとなる。また、前期電気配線（４２）が風路を妨げることを防止することとなる。
【発明の効果】
【００６１】
本願発明は、かかる構成とすることにより以下に記載されるような効果を奏するものである。
【００６２】
（イ）本願の第１の発明にかかる除湿装置によれば、放熱器（１０３）を支持する支持部材（２３）に吸放湿手段（１１９）の支持部（１６）が一体で形成されるので、部品点数が減り、部品同士の勘合や接続をなくし、スリムで無駄なく構成することができ、安価で組立てを容易にすることができる。
【００６３】
（ロ）本願の第２の発明にかかる除湿装置によれば、放熱器（１０３）を支持する支持部材（２３）に吸熱器（１０５）の支持部（２６）が一体で形成されるので、部品点数が減り、部品同士の勘合や接続をなくし、スリムで無駄なく構成することができ、安価で組立てを容易にすることができる。
【００６４】
（ハ）本願の第３の発明にかかる除湿装置によれば、上記（イ）または（ロ）に記載した効果に加えて、放熱器（１０３）を支持する支持部材（２３）に吸熱器（１０５）の支持部（２６）と吸放湿手段（１１９）の支持部（１６）が一体で形成されるので、前記放熱器（１０３）と前記吸熱器（１０５）と前記吸放湿手段（１１９）の位置関係が精度良く保つこととなり、ばらつきの少ない組立てを容易にすることができる。
【００６５】
（ニ）本願の第４の発明にかかる除湿装置によれば、放熱器（１０３）を支持する支持部材（２３）に除湿対象空気（１１６）の風路部（２７）が一体で形成されるので、部品点数が減り、部品同士の勘合や接続をなくし、スリムで無駄なく構成することができ、安価で組立てを容易にすることができる。
【００６６】
（ホ）本願の第５の発明にかかる除湿装置によれば、上記（イ）、（ロ）または（ハ）に記載した効果に加えて、放熱器（１０３）を支持する支持部材（２３）に吸熱器（１０５）の支持部（２６）と吸放湿手段（１１９）の支持部（１６）と風路部（２７）が一体で形成されるので、前記放熱器（１０３）と前記吸熱器（１０５）と前記吸放湿手段（１１９）のそれぞれを通る空気を効率よく導くこととなり、風路間の漏れの少ない安定した空気の流れを保つことによって、安定した除湿効率を得ることができる。
【００６７】
（ヘ）また、本願の第６の発明にかかる除湿装置によれば、パージ部（２１）に流入する室内空気を導くパージ風路（２２）が放熱器（１０３）を支持する支持部材（２３）に一体で形成されるので、部品点数が減り、部品同士の勘合や接続をなくし、スリムで無駄なく構成されることができ、安価で組立てを容易にすることができる。
【００６８】
（ト）本願の第７の発明にかかる除湿装置によれば、上記（イ）、（ロ）、（ハ）、（ニ）または（ホ）に記載した効果に加えて、放熱器（１０３）を支持する支持部材（２３）に吸熱器（１０５）の支持部（２６）と前記吸放湿手段（１１９）の支持部（１６）と風路部（２７）とパージ風路（２２）が一体で形成されるので、前記放熱器（１０３）と前記吸熱器（１０５）と前記吸放湿手段（１１９）のそれぞれを通る空気を効率よく導くこととなり、風路間の漏れの少ない安定した空気の流れを保つことによって、安定した除湿効率を得ることができる。
【００６９】
（チ）また、本願の第８の発明にかかる除湿装置によれば、放熱器（１０３）を支持する支持部材（２３）に吸放湿手段（１１９）の吸湿部（１２０）および放湿部（１２１）を通過する除湿対象空気（１１６）の漏れを抑制するシール部（２８Ａ）が一体で形成されるので、部品点数が減り、部品同士の勘合や接続をなくし、スリムで無駄なく漏れ防止されることによって、漏れによる除湿効率の低下を防ぐことができ、安価で組立てを容易にすることができる。
【００７０】
（リ）また、本願の第８の発明にかかる除湿装置によれば、上記（イ）、（ロ）、（ハ）、（ニ）、（ホ）、（ヘ）または（ト）に記載した効果に加えて、前記吸放湿手段（１１９）の支持部（１６）と一体に形成されることにより、前記シール部（２８Ａ）と前記吸放湿手段（１１９）の位置関係が精度良く管理することができるため、さらに漏れ防止性能が向上することができ、漏れによる除湿効率の低下を防ぐことができる。
【００７１】
（ヌ）また、本願の第１０の発明にかかる除湿装置によれば、放熱器（１０３）を支持する支持部材（２３）に前記吸放湿手段（１１９）の前記吸湿部（１２０）、前記パージ部（２１）および前記放湿部（１２１）のそれぞれを通過する空気間の漏れを抑制するシール部（２８Ｂ）が一体で形成されるので、部品点数が減り、部品同士の勘合や接続をなくし、スリムで無駄なく漏れ防止されることによって、漏れによる除湿効率の低下を防ぐことができ、さらに安価で組立てを容易にすることができる。
【００７２】
（ル）また、本願の第１１の発明にかかる除湿装置によれば、上記（イ）、（ロ）、（ハ）、（ニ）、（ホ）、（ヘ）、（ト）、（チ）または（リ）に記載した効果に加えて、吸放湿手段（１１９）の支持部（１６）と一体に形成されることにより、シール部（２８Ｂ）と前記吸放湿手段（１１９）の位置関係が精度良く管理することができるため、さらに漏れ防止性能が向上することができ、漏れによる除湿効率の低下を防ぐことができる。
【００７３】
（ヲ）また、本願の第１２の発明にかかる除湿装置によれば、上記（イ）、（ロ）、（ハ）、（ニ）、（ホ）、（ヘ）、（ト）、（チ）、（リ）、（ヌ）または（ル）に記載した効果に加えて、支持部（１６）で支持された吸放湿手段（１１９）のがたつきを保持部材（２０）が抑制することにより、前記吸放湿手段（１１９）の作用を安定させ除湿効率を安定して得ることができる。また、摺動部となる前記支持部（１６）と前記吸放湿手段（１１９）の磨耗による動作不良を低減することができる。また、輸送時などの振動および衝撃から前記吸放湿手段（１１９）の破損を防止することができる。また、前記吸放湿手段（１１９）の動作音を低減することができる。
【００７４】
（ワ）また、本願の第１３の発明にかかる除湿装置によれば、上記（ヲ）に記載した効果に加えて、吸放湿手段（１１９）の保持部材（２０）に除湿対象空気（１１６）の風路部（３０）が一体で形成されるので、部品点数が減り、部品同士の勘合や接続をなくし、スリムで無駄なく構成することができ、安価で組立てを容易にすることができる。また、放熱器（１０３）と吸熱器（１０５）と前記吸放湿手段（１１９）のそれぞれを通る空気を効率よく導くこととなり、風路間の漏れの少ない安定した空気の流れを保つことによって、安定した除湿効率を得ることができる。
【００７５】
（カ）また、本願の第１４の発明にかかる除湿装置によれば、上記（ヲ）または（ワ）に記載した効果に加えて、パージ部（２１）を通過した空気を室内に吹出すパージ風路（３１）と前記吸放湿手段（１１９）の保持部材（２０）が一体で形成されるので、部品点数が減り、部品同士の勘合や接続をなくし、スリムで無駄なく構成することができ、安価で組立てを容易にすることができる。また、前記吸放湿手段（１１９）の前記パージ部（２１）と前記放湿部（１２１）と前記吸湿部（１２０）それぞれを通る空気を効率よく導くこととなり、風路間の漏れの少ない安定した空気の流れを保つことによって、安定した除湿効率を得ることができる。
【００７６】
（ヨ）また、本願の第１５の発明にかかる除湿装置によれば、上記（ヲ）、（ワ）または（カ）に記載した効果に加えて、吸放湿手段（１１９）の保持部材（２０）に前記吸放湿手段（１１９）の吸湿部（１２０）および放湿部（１２１）を通過する除湿対象空気（１１６）の漏れを抑制するシール部（３２Ａ）が一体で形成されるので、部品点数が減り、部品同士の勘合や接続をなくし、スリムで無駄なく漏れを防止するることができ、安価で組立てを容易にすることができる。また、風路間の漏れの少ない安定した空気の流れを保つことによって、安定した除湿効率を得ることができる。
【００７７】
（タ）また、本願の第１６の発明にかかる除湿装置によれば、上記（ヲ）、（ワ）、（カ）または（ヨ）に記載した効果に加えて、吸放湿手段（１１９）の保持部材（２０）に前記吸放湿手段（１１９）の吸湿部（１２０）、パージ部（２１）および放湿部（１２１）のそれぞれを通過する空気間の漏れを抑制するシール部（３２Ｂ）が一体で形成されるので、部品点数が減り、部品同士の勘合や接続をなくし、スリムで無駄なく漏れを防止するることができ、安価で組立てを容易にすることができる。また、風路間の漏れの少ない安定した空気の流れを保つことによって、安定した除湿効率を得ることができる。
【００７８】
（レ）また、本願の第１７の発明にかかる除湿装置によれば、上記（ヲ）、（ワ）、（カ）、（ヨ）または（タ）に記載した効果に加えて、吸放湿手段（１１９）の保持部材（２０）に前記補助加熱手段（２４）の保持部（３４）が一体で形成されるので前記吸放湿手段（１１９）と前記補助加熱手段（２４）位置関係が精度良く保たれることによって、安定した除湿効率を得ることができる。
【００７９】
（ソ）また、本願の第１８の発明にかかる除湿装置によれば、上記（レ）に記載した効果に加えて、補助加熱手段（２４）によって温度上昇する吸放湿手段（１１９）の保持部材（２０）の一部分を前記補助加熱手段（２４）の構造体（２４Ａ）にて保護し、前記補助加熱手段（２４）の熱が前記保持部材（２０）に伝わりにくくすることができる。これにより、前記保持部材（２０）の材質を耐熱温度の高い高価な材料を用いることなく安価にすることができ、溶解および燃焼といった安全性を向上することができる。
【００８０】
（ツ）また、本願の第１９の発明にかかる除湿装置によれば、上記（レ）または（ソ）に記載した効果に加えて、補助加熱手段（２４）の構造体（２４Ａ）に設けたシール部（２４Ｃ）にて吸放湿手段（１１９）の吸湿部（１２０）、パージ部（２１）および放湿部（１２１）をそれぞれを通過する空気の漏れを抑制することができ、風路間の漏れの少ない安定した空気の流れを保つことによって、安定した除湿効率を得ることができる。
【００８１】
（ネ）また、本願の第２０の発明にかかる除湿装置によれば、上記（ロ）、（ハ）、（ニ）、（ホ）、（ヘ）、（ト）、（チ）、（リ）、（ヌ）または（ル）に記載した効果に加えて、放熱器（１０３）と吸熱器（１０５）が支持部材（２３）に取り付けられた状態で納入され、前記支持部材（２３）は輸送時の振動や衝撃から前記放熱器（１０３）と前記吸熱器（１０５）を保護する機能を兼ね備えていることにより、梱包費用を安価にすることができ、箱から取り出しそのまま組立てることで工数を削減でき、廃棄梱包材の量をさくげんすることができる。
【００８２】
（ナ）また、本願の第２１の発明にかかる除湿装置によれば、上記（ネ）に記載した効果に加えて、放熱器（１０３）と吸熱器（１０５）を支持部材（２３）に組み付けた状態で、積み重ねることができるため、コンパクトに梱包することができる。
【００８３】
（ラ）また、本願の第２２の発明にかかる除湿装置によれば、上記（ネ）または（ナ）に記載した効果に加えて、放熱器（１０３）と吸熱器（１０５）を支持部材（２３）に組み付け、前記支持部材（２３）を複数積み重ねた状態で、前記放熱器（１０３）と前記吸熱器（１０５）が組み付けられた前記支持部材（２３）以外に隣り合った支持部材（２３）によって支持されるため、より強固に前記支持部材（２３）に固定することができ、前記放熱器（１０３）と前記吸熱器（１０５）が輸送時の振動や衝撃によって外れることを防止できる。
【００８４】
（ム）また、本願の第２３の発明にかかる除湿装置によれば、上記（ネ）、（ナ）または（ラ）に記載した効果に加えて、放熱器（１０３）と吸熱器（１０５）と冷媒配管（３８）が支持部材（２３）に取り付けられた状態で納入されることにより、前記放熱器（１０３）と前記吸熱器（１０５）の重みによって変形や折れが生じやすい前記冷媒配管（３８）を輸送時の振動や衝撃から保護することができ、品質を向上することができる。
【００８５】
（ウ）また、本願の第２４の発明にかかる除湿装置によれば、上記（ネ）、（ナ）、（ラ）または（ム）に記載した効果に加えて、吐出冷媒配管（３９）および吸入冷媒配管（４０）の圧縮機（１０２）側端部が支持部材（２３）から一定の距離を保つことによって、冷凍サイクルを組むロー付け作業がやりやすくなり、冷媒漏れの発生を抑制し、品質を向上することができる。
【００８６】
（エ）また、本願の第２５の発明にかかる除湿装置によれば、上記（ラ）または（ム）に記載した効果に加えて、放熱器（１０３）と吸熱器（１０５）と吐出冷媒配管（３９）と吸入冷媒配管（４０）と冷媒配管（３８）が支持部材（２３）に取り付けられた状態で納入される。その際、前記支持部材（２３）の配管保護部（４１）は輸送時の振動や衝撃によってそれぞれの配管の自重による変形から前記吐出冷媒配管（３９）と前記吸入冷媒配管（４０）と前記冷媒配管（３８）を保護することができ、品質を向上することができる。
【００８７】
（ノ）また、本願の第２５の発明にかかる除湿装置によれば、上記（エ）に記載した効果に加えて、配管保護部（４１）が加熱対象空気（３）、除湿対象空気（１１６）およびパージ空気（４）のいずれか１つ以上の風路を形成する機能を兼ね備えているので、部品点数が減り、部品同士の勘合や接続をなくし、スリムで無駄なく構成することができ、安価で組立てを容易にすることができる。
【００８８】
（オ）また、本願の第２７の発明にかかる除湿装置によれば、上記（イ）、（ロ）、（ハ）、（ニ）、（ホ）、（ヘ）、（ト）、（チ）、（リ）、（ヌ）、（ル）、（ヲ）、（ワ）、（カ）、（ヨ）、（タ）、（レ）、（ソ）、（ツ）、（ネ）、（ナ）、（ラ）、（ム）、（ウ）、（エ）または（ノ）に記載した効果に加えて、放熱器（１０３）、吸熱器（１０５）、吸放湿手段（１１９）および補助加熱手段（２４）の周辺に配線される電気配線（４２）が、高温部やエッヂ部や結露部に接触することと、風路を妨げることを防止することによって、品質を向上することができる。
【発明を実施するための最良の形態】
【００８９】
以下、本発明の実施の形態について図面を参照しながら説明する。なお、従来の例と同一の構成要素については同一の符号を用い、詳細な説明は省略する。
【００９０】
（実施の形態１）
図１は、本発明の実施の形態１にかかる除湿装置の概略構成を示した図である。
【００９１】
図に示すように、除湿装置の本体１０１内に、圧縮機１０２、放熱器１０３、膨張機構１０４、吸熱器１０５を配管接続した冷媒回路１０６と、供給空気から吸湿する吸湿部１２０および供給空気に放湿する放湿部１２１を有する吸放湿手段１１９を設け、冷媒回路１０６内に冷媒１１７を充填し、補助加熱手段としてヒーター２４を設けている。また、本体１０１には吸込口１１２と吹出口１１３を開口し、メイン送風ファン１とバイパス送風ファン２の運転によって、吸込口１１２から除湿対象空気１１６と加熱対象空気３とパージ空気４を本体１０１内に供給する構成としている。そして、本体１０１内に供給された除湿対象空気１１６が、メイン送風ファン１によって放熱器１０３、ヒーター２４、放湿部１２１、吸熱器１０５、吸湿部１２０に順に供給されて吹出口１１３より本体１０１外部に流出し、また、加熱対象空気３が、バイパス送風ファン２によって、除湿対象空気１１６と同一方向から放熱器１０３に供給されて吹出口１１３より本体１０１外部に流出し、また、パージ空気４が、バイパス送風ファン２によって、除湿対象空気１１６と同一方向から吸湿部１２０に供給されて吹出口１１３より本体１０１外部に流出するように風路を形成している。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６および加熱対象空気３に対して放熱するとともに吸熱器１０５に供給される除湿対象空気１１６から吸熱することによってヒートポンプ１１８を作動させる構成となっている。
【００９２】
次に上記のような構成による除湿装置の動作を説明する。
【００９３】
図２は、本発明の実施形態１にかかる除湿装置の冷媒１１７の状態変化を示すモリエル線図（圧力−エンタルピ線図）である。点Ａ、点Ｂ、点Ｃ、点Ｄを矢符で結んだサイクルは、冷媒回路１０６内を循環する冷媒１１７の状態変化を示しており、冷媒１１７は圧縮機１０２において圧縮されることにより圧力とエンタルピが上昇して点Ａから点Ｂの状態変化を行い、放熱器１０３において供給される除湿対象空気１１６および加熱対象空気２に対して放熱することによりエンタルピが減少して点Ｂから点Ｃの状態となる。次に膨張機構１０４において膨張して減圧することにより圧力が低下して点Ｃから点Ｄの状態変化を行い、吸熱器１０５において供給される除湿対象空気１１６から吸熱することによりエンタルピが増加して点Ｄから点Ａの状態に戻る。このような冷媒１１７の状態変化により、吸熱器１０５において吸熱し、放熱器１０３において放熱するヒートポンプ１１８が動作し、この時、点Ｂと点Ｃのエンタルピ差に冷媒１１７の循環量を乗じた値が放熱器１０３における放熱量、点Ａと点Ｄ（点Ｃ）のエンタルピ差に冷媒１１７の循環量を乗じた値が吸熱器１０５における吸熱量となり、放熱量と吸熱量の差、即ち点Ｂと点Ａのエンタルピ差に冷媒１１７の循環量を乗じた値が圧縮機１０２の圧縮仕事量になる。
【００９４】
図３は、本発明の実施形態１にかかる除湿装置における除湿対象空気１１６、加熱対象空気３、パージ空気４の状態変化を示す湿り空気線図であり、各々の空気状態の変化を説明する。
【００９５】
まず、点ａの状態の除湿対象空気１１６および加熱対象空気３が放熱器１０３に供給され、冷媒１１７の放熱により加熱されて点ｂ１の状態となる。ここで加熱対象空気３は、点ｂ１の状態のまま装置外部に排出され、除湿対象空気１１６は、放湿部１２１に供給されてハニカムローター１０８に担持された吸着剤１０７が保有している水分を脱着することにより加湿されて、湿度が上昇するとともに温度が低下して点ｃ１の状態となる。
【００９６】
一方、放熱器１０３に供給された後の除湿対象空気１１６の残り１１６（ｃ）は、次にヒーター２４に供給されて更に高温に加熱されて点ｂ２の状態となる。点ｂ２の状態となった除湿対象空気１１６（ｃ）は、次に放湿部１２１に供給されてハニカムローター１０８に担持された吸着剤１０７が保有している水分を脱着することにより加湿されて、湿度が上昇するとともに温度が低下して、点ｃ２の状態となる。
【００９７】
そして、放湿部１２１において加湿された点ｃ１および点ｃ２の状態の除湿対象空気１１６は次に吸熱器１０５に供給され、冷媒１１７の吸熱により露点温度以下まで冷却されて点ｄの飽和状態となる。この時に飽和した水分は凝縮水としてタンク１２２に回収される。点ｄの飽和状態となった除湿対象空気１１６（ａ）は次に吸湿部１２０に供給され、吸着剤１０７に水分を吸着されることによって除湿されて湿度が低下するとともに温度が上昇し、点ｅの状態の乾燥空気となる。点ｅの状態となった除湿対象空気１１６は、メイン送風ファン１に吸引されて装置外部に排出される。
【００９８】
また、点ａの状態のパージ空気４は、吸湿部１２０に供給されて吸着剤１０７が保有する放熱器１０３の余熱を除去するとともに吸着剤１０７に水分を吸着されることによって除湿され、温度が上昇するとともに湿度が低下して点ｆの乾燥空気となる。点ｂ１の状態となった加熱対象空気３と点ｆの状態となったパージ空気４は、ともにバイパス送風ファン２に吸引されて装置外部に排出される。
【００９９】
以上の除湿対象空気１１６およびパージ空気４の状態変化において、吸熱器１０５において回収される凝縮水の量は、点ｃ１と点ｄの絶対湿度差に放熱器１０３にのみ供給される除湿対象空気１１６（ｂ）の重量換算風量を乗じた値と、点ｃ２と点ｄの絶対湿度差に放熱器１０３に供給された後にヒーター２４に供給される除湿対象空気１１６（ｃ）の重量換算風量を乗じた値との加算値となり、放湿部１２１における放湿量は、点ｂ１と点ｃ１の絶対湿度差に放熱器１０３にのみ供給される除湿対象空気１１６（ｂ）の重量換算風量を乗じた値と、点ｂ２と点ｃ２の絶対湿度差に放熱器１０３に供給された後にヒーター２４に供給される除湿対象空気１１６（ｃ）の重量換算風量を乗じた値との加算値となる。また、吸湿部１２０における吸湿量は、点ｄと点ｅの絶対湿度差に除湿対象空気１１６の重量換算風量を乗じた値と点ａと点ｆの絶対湿度差にパージ空気４の重量換算風量を乗じた値との加算値となる。
【０１００】
以上の動作において、理想状態では、放湿部１２１の出口空気状態を示す点ｃ１および点ｃ２は、吸湿部１２０の入口空気状態を示す点ｄと同一の相対湿度である点ｃ１’および点ｃ２’に近づき、吸湿部１２０の出口空気状態を示す点ｅは、放湿部１２１の入口空気状態を示す点ｂ１と点ｂ２の空気の混合した点ｈと同一の相対湿度である点ｅ’に近づく。したがって点ｄの相対湿度を上昇させ、点ｂ１および点ｂ２の相対湿度を低下させること、即ち、点ｄで示した吸湿部１２０への供給空気と点ｂ１および点ｂ２で示した放湿部１２１への供給空気との相対湿度差を拡大することが吸放湿量を高めることになり、結果的に除湿効率が向上することになる。
【０１０１】
また、除湿対象空気１１６の重量換算風量と加熱対象空気３の重量換算風量を加算して点ａと点ｂ１のエンタルピ差に乗じた値が放熱器１０３における放熱量、点ｃ１と点ｄのエンタルピ差に放熱器１０３にのみ供給される除湿対象空気１１６（ｂ）の重量換算風量を乗じた値と、点ｃ２と点ｄのエンタルピ差に放熱器１０３に供給された後にヒーター２４に供給される除湿対象空気１１６（ｃ）の重量換算風量を乗じた値との加算値が吸熱器１０５における吸熱量となり、この放熱器１０３における放熱量および吸熱器１０５における吸熱量は、図２の冷媒１１７の状態変化から得られる放熱量および吸熱量と等しくなる。
【０１０２】
従って、放熱器１０３において除湿対象空気１１６のみでは不足する冷媒１１７の放熱分を加熱対象空気３が補うことと、放熱器１０３では作り出すことのできない高温の空気をヒーター２４の加熱により供給することによって、除湿対象空気１１６の風量を放湿部１２１における放湿、吸熱器１０５における冷却、吸湿部１２０における吸湿の過程における最適な値に設定することができるのである。
【０１０３】
また、各点ａ、ｂ、ｃ、ｄ、ｅ、ｆが風路的に隣り合い互いの風路間の漏れに対し、除湿効率が低下することは述べるまでもない。
【０１０４】
図４は、図１に示す概略構成を実現した除湿装置の概略展開図である。本体１０１はケース上５、ケース下６、ケース左７、ケース右８、ケース前９、ケース後１０の６部品によって形成し、ケース上５には吹出口１１３と装置の操作を行う操作パネル１１と取っ手１２が設けられている。ケース後１０には吸込口１１２を設け、その吸込口１１２にはフィルター１３が設けられている。ケース下６の上には水受け部１４と圧縮機１０２とタンク１２２が配置され水受け部１４の上に放熱器１０３、膨張機構１０４、吸熱器１０５、吸放湿手段１１９、メイン送風ファン１、バイパス送風ファン２、吸熱器カバー１５が構成される構造となっている。
【０１０５】
図５は、吸放湿手段１１９、放熱器１０３、吸熱器１０５部分のファン側から見た詳細展開図で、図６は吸放湿手段１１９、放熱器１０３、吸熱器１０５部分の吸込口側から見た詳細展開図である。また、図７は図５および図６に示した展開図を組み合わせた組図である。
【０１０６】
図５、６および図７より、詳細な構成および機能を説明する。
【０１０７】
放熱器１０３を支持する支持部材としてホルダー２３を設け、このホルダー２３は、吸熱器１０５の支持部２６と、吸放湿手段１１９の支持部として回転軸１６と、除湿対象空気１１６の風路部としてホルダー側メイン風路２７と、パージ空気４の風路部としてホルダー側パージ風路２２と、吸放湿手段１１９の吸湿部１２０と放湿部１２１を通過する除湿対象空気１１６における各風路間の空気の漏れを防止するホルダー側シール部２８Ａと、吸放湿手段１１９におけるパージ空気４と除湿対象空気１１６の漏れを防止するホルダー側シール部２８Ｂと、電気リード（４２）が放熱器１０３および吸熱器１０５および吸放湿手段１１９およびヒーター２４に接触することと各風路の妨げになることを防止するホルダーリード保持部２９を兼ね備えている。
【０１０８】
また、吸放湿手段１１９は、吸着剤１０７が担持された軸方向に通風可能な円筒状のハニカムローター１０８を備えており、このハニカムローター１０８を回動自在に回転軸１６で支持している。そして、ハニカムローター１０８の外周にギア１７を形成し、このギア１７と回転駆動する駆動モーター１８の歯車部１９をかみ合わせてハニカムローター１０８をゆっくりと回転させる。
【０１０９】
また、この吸放湿手段１１９をホルダー２３とローターカバー２０で挟み込んで吸放湿手段１１９を保持する保持部材としてローターカバー２０を設ける。このローターカバー２０は、除湿対象空気１１６の風路部としてカバー側メイン風路３０と、パージ空気４の風路部としてカバー側パージ風路３１と、ホルダー側シール部２８Ａと対応する吸放湿手段１１９の吸湿部１２０と放湿部１２１を通過する除湿対象空気１１６における各風路間の空気の漏れを防止するカバー側シール部３２Ａと、ホルダー側シール部２８Ｂに対応する吸放湿手段１１９におけるパージ空気４と除湿対象空気１１６の漏れを防止するカバー側シール部３２Ｂと、電気リード（４２）が放熱器１０３および吸熱器１０５および吸放湿手段１１９およびヒーター２４に接触することと各風路の妨げになることを防止するカバーリード保持部３３と、ヒーター２４を支持するヒーター支持部３４を兼ね備えている。
【０１１０】
また、ヒーター２４はニクロムヒーター２４Ｂとそれを支持するヒーターボックス２４Ａからなり、ヒーターボックス２４Ａはギア１７とローターカバー２０といったヒーター２４周辺の構造物の温度上昇を抑える形状としている。さらに、ヒーターボックス２４Ａはホルダー側シール部３２Ｂの温度上昇を抑えるとともに、ホルダー側シール部２８Ｂに対応する吸放湿手段１１９におけるパージ空気４と除湿対象空気１１６の漏れを防止するヒーター側シール部２４Ｃを有する。
【０１１１】
このような構成とすることで、吸放湿手段１１９は除湿対象空気１１６に放湿する放湿部１２１と除湿対象空気１１６から吸湿する吸湿部１２０とパージ空気４から吸湿するパージ部２１の３つの領域に分けられる。そして、駆動モーター１８を駆動すると歯車部１９を介してギア１７に駆動力が伝達してハニカムローター１０８が回転することになる。このハニカムローター１０８の回転によって吸着剤１０７は、吸湿部１２０における除湿対象空気１１６との接触と放湿部１２１における除湿対象空気１１６とパージ部２１におけるパージ空気４との接触を繰り返すことになる。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、吸湿部１２０で吸着剤１０７と接触する除湿対象空気１１６は、吸熱器１０５において冷媒１１７の吸熱により冷却された高い相対湿度の空気であり、放湿部１２１で吸着剤１０７と接触する除湿対象空気１１６は、放熱器１０３において冷媒１１７の放熱により加熱された低い相対湿度の空気であるので、この相対湿度の差によって、吸着剤１０７の吸脱着作用がなされて吸放湿手段１１９が作動することになるのである。
【０１１２】
このとき、ホルダー２３は放熱器１０３と吸熱器１０５と吸放湿手段１１９を支持し、除湿対象空気１１６とパージ空気４の風路を形成し、吸放湿手段１１９における各風路間の空気の漏れを防止し、放熱器１０３および吸熱器１０５への電気リードの接触を防止するといった機能を兼ね備えて一体で形成している。このため、各機能部品を組み上げる必要もなく組立てを簡略化でき、構造が単純化され、各部品の支持強度を維持しやすく、各部品をコンパクトに配置しやすくすることができる。
【０１１３】
また、ローターカバー２０は、吸放湿手段１１９とヒーター２４を保持し、除湿対象空気１１６とパージ空気４の風路を形成し、吸放湿手段１１９における各風路間の空気の漏れを防止し、放熱器１０３および吸熱器１０５への電気リードの接触を防止するといった機能を兼ね備えて一体で形成している。このため、各機能部品を組み上げる必要もなく組立てを簡略化でき、構造が単純化され、各部品の支持強度を維持しやすく、各部品をコンパクトに配置しやすくすることができる。
【０１１４】
また、ヒーターボックス２４Ａはニクロムヒーター２４Ｂを支持し、ホルダー側シール部３２Ｂなどローターカバー２０やギア１７といったヒーター２４周辺の構造物の温度上昇を抑え、耐熱温度の高い高価な樹脂材料を用いることなく安価な樹脂材料を用いることができる。さらに、ホルダー側シール部２８Ｂに対応する吸放湿手段１１９におけるパージ空気４と除湿対象空気１１６の漏れを防止するヒーター側シール部２４Ｃでは、ハニカムローター１０８の表面がニクロムヒーター２４Ｂの熱によって高温となっているため、ローターカバー２０のカバー側シール部３２Ｂではその耐熱温度のため十分に隙間を詰めることができないのでシール性が不十分であった。しかし、耐熱温度の高いヒーター側シール部２４Ｃでは、ハニカムローター１０８との隙間を詰め、よりシール性を向上することができ、ローターカバー２０全部もしくはカバー側シール部３２Ｂ部分のみを別部品として耐熱性の高い材料とするより安価にすることができる。
【０１１５】
次に、ホルダー２３は除湿装置の構成部品としての機能だけでなく梱包材としての機能を兼ね備えた形状としているので、図８、９および図１０を用いて説明する。
【０１１６】
図８はホルダー２３に放熱器１０３と吸熱器１０５を組み込んだ組図、図９は図８の反対側から見た組図、図１０は放熱器１０３と吸熱器１０５を組み込んだホルダー２３を複数重ね合わせたときの形態を表した図である。
【０１１７】
ホルダー２３は放熱器１０３と吸熱器１０５を組み込んだ状態で図６のように積み重ねられる形状としており、放熱器１０３と吸熱器１０５を部品として購入する際の放熱器１０３と吸熱器１０５を保護する部材として利用できるようにしている。そして、積み重ねる際にしっかりと受けてしかも輸送時などの振動に対し、ずれを防止する保持手段としてピン３５が設けられている。ピン３５は回転軸１６の穴に挿入されずれを防止する。また、放熱器１０３や吸熱器１０５を挟み込む形で輸送時などの振動に対ししっかりと保持する手段としてリブＡ３６とリブＢ３７が設けられている。このリブＡ３６とリブＢ３７はピン３５と同様にずれ防止の機能を兼ねている。そして、放熱器１０３と吸熱器１０５を繋ぐ冷媒配管としてキャピラリーチューブ配管３８と、放熱器１０３と吸熱器１０５各々と圧縮機１０２とを繋ぐ冷媒配管としてＤ配管３９とＳ配管４０が取り付けられ、このキャピラリーチューブ配管３８とＤ配管３９とＳ配管４０を保護する保護リブ４１が設けられている。この保護リブ４１は除湿対象空気１１６および加熱対象空気３の風路を形成する機能を兼ね備えている。
【０１１８】
このような構成において、放熱器１０３と吸熱器１０５の個々を梱包する梱包材が不要となり、その費用や廃棄や取り扱う手間が省け、安価にすることができる。
【０１１９】
また、箱から取り出してすぐに組み立てられるので工数が削減できる。
【０１２０】
また、ピン３５とリブＡ３６とリブＢ３７によって、重ねられたホルダー２３が崩れたり、ずれることを防止することで互いが干渉しあって起こる打痕などの輸送品質を向上することができる。
【０１２１】
そして、放熱器１０３と吸熱器１０５も固定することができるのでキャピラリーチューブ配管３８のような強度の弱い配管を繋いだ状態でも輸送することができ、組み立てが容易となる。
【０１２２】
また、Ｄ配管３９とＳ配管４０を付けることによって、ホルダー２３が邪魔になり行いにくい配管の溶接作業を容易にすることができる。
【０１２３】
また、保護リブ４１は、積み重ねられたホルダー２３が複数列段ボール箱に同梱されても隣り合うホルダー２３がキャピラリーチューブ配管３８とＤ配管３９とＳ配管４０を傷つけることのない様に機能し、輸送品質が向上する。
【０１２４】
同時に、保護リブ４１は、除湿対象空気１１６および加熱対象空気３の風路を形成する機能を兼ね備え、除湿装置に必要な部品点数を低減し、安価にすることができる。
【０１２５】
なお、ハニカムローター１０８に担持する吸着剤１０７としては、吸湿性があってハニカムローター１０８に担持でき、さらに水分脱着のためにある程度の耐熱性がある物質であれば良く、例えば、シリカゲル、ゼオライトなどの無機質の吸着型吸湿剤、有機高分子電解質（イオン交換樹脂）などの吸湿剤、塩化リチウムなどの吸収型吸湿剤等を用いることができる。さらに吸着剤１０７は１種類に限るものではなく、上述した吸着剤１０７の２種類以上を組み合わせて用いても良いのである。
【０１２６】
また、冷媒回路１０６に充填する冷媒１１７としては、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等を用いることができる。
【産業上の利用可能性】
【０１２７】
以上のように本発明にかかる除湿装置は、循環経路１１１を要しない簡易な構成で、多様な環境下で効率の良い除湿を行い得るものであり、除湿機、乾燥機、空調機、溶剤回収装置等の高効率な除湿機能が所望される用途に適している。
【図面の簡単な説明】
【０１２８】
【図１】本発明の実施の形態１にかかる除湿装置の概略構成を示した図
【図２】同除湿装置の冷媒の状態変化を示すモリエル線図（圧力−エンタルピ線図）
【図３】同除湿装置における除湿対象空気および加熱対象空気およびパージ空気の状態変化を示す湿り空気線図
【図４】同除湿装置の概略展開図
【図５】同吸放湿手段、放熱器、吸熱器部分のファン側から見た詳細展開図
【図６】同吸放湿手段、放熱器、吸熱器部分の吸込口側から見た詳細展開図
【図７】同図５および図６に示した展開図を組み合わせた組図
【図８】同ホルダーに放熱器と吸熱器を組み込んだ組図
【図９】同図８の反対側から見た組図
【図１０】同放熱器と吸熱器を組み込んだホルダーを複数重ね合わせたときの形態を表した図
【図１１】従来の除湿装置の概略構成を示した図
【符号の説明】
【０１２９】
１      メイン送風ファン（送風手段）
１６    回転軸（支持部）
２０    ローターカバー（保持部材）
２１    パージ部
２２    ホルダー側パージ風路（パージ風路）
２３    ホルダー（支持部材）
２４    ヒーター（補助加熱手段）
２４Ａ  ヒーターボックス（構造体）
２４Ｃ  ヒーター側シール部（シール部）
２６    支持部
２７    ホルダー側メイン風路（風路部）
２８Ａ  ホルダー側シール部（シール部）
２８Ｂ  ホルダー側シール部（シール部）
２９    ホルダーリード保持部（電気配線保持部）
３０    カバー側メイン風路（風路部）
３１    カバー側パージ風路（パージ風路）
３２Ａ  カバー側シール部（シール部）
３２Ｂ  カバー側シール部（シール部）
３３    カバーリード保持部（電気配線保持部）
３４    ヒーター支持部（支持部）
３５    ピン（保持手段）
３８    キャピラリーチューブ配管（冷媒配管）
３９    Ｄ配管（吐出冷媒配管）
４０    Ｓ配管（吸入冷媒配管）
４１    保護リブ（配管保護部）
１０２  圧縮機
１０３  放熱器
１０４  膨張機構
１０５  吸熱器
１１６  除湿対象空気
１１７  冷媒
１１８  ヒートポンプ
１１９  吸放湿手段
１２０  吸湿部
１２１  放湿部
【図１】
2006239532.tif 000003
【図２】
2006239532.tif 000004
【図３】
2006239532.tif 000005
【図４】
2006239532.tif 000006
【図５】
2006239532.tif 000007
【図６】
2006239532.tif 000008
【図７】
2006239532.tif 000009
【図８】
2006239532.tif 000010
【図９】
2006239532.tif 000011
【図１０】
2006239532.tif 000012
【図１１】
2006239532.tif 000013